(57)【特許請求の範囲】
【請求項１】
ガス入口からメインバーナに至るガス通路中のノズル台のガス通路に、操作用スピンドルの先端に備えたガス弁を発条で閉止方向に付勢して常閉状に組み付け設置する湯沸器のガス弁取付け構造において、
上記操作用スピンドルの先端をガス弁に差し込むことによりガス弁がスピンドルの先端に取付けられており、上記操作用スピンドルは、上記ノズル台の上記ガス通路を兼備する弁室とノズル管へのガス通路との隔壁に備えられた軸受部に挿通支持され、上記ガス弁は上記操作用スピンドルとともに移動して、上記隔壁に形成された弁シートに接離するものであり、
該ノズル台にガス側本体が組み付けられるまでの間、上記ガス弁を閉止方向に付勢する上記発条を上記ノズル台に仮止め支持するバネ受けを備え、
上記バネ受けは、ガスの流通を阻害しない開口面積を有する開口と、上記ノズル台への組み付け時には手動で圧入支持できる程度の支持部を備え、上記ガス弁と同一軸線を保って取付け支持されるものであり、
上記ガス弁の組み付けが一方向から行えるものであることを特徴とする湯沸器のガス弁取付け構造。
【請求項２】
上記バネ受けは、上記ノズル台と上記ガス側本体との接合部に挟着固定されている請求項１記載の湯沸器のガス弁取付け構造。
【発明の詳細な説明】
【０００１】
【発明の属する技術分野】
この発明は、湯沸器のガス弁取付け構造に関し、たとえば、操作ボタンと連動して開閉する器具栓又はダイヤフラム式給水栓と連動して開閉する水圧自動弁等に適用して効果的な湯沸器のガス弁取付け構造に関する。
【０００２】
【従来の技術】
従来のこの種のガス弁取付け構造は、たとえば、図７に示されているように、操作用スピンドル１′の先端に備えられるガス弁３′は、スピンドル１′の先端部がガス弁３′を貫通し、ガス弁の両側を大小の座金４′、５′で挟み、これらをＥリング７′、８′で止めてスピンドル１′の先端にガス弁３′が挟着固定され、スピンドル１′の基端部にはＥリング９′で支持されたバネ受け１８′を備え、このバネ受け１８′とボディ２０′との間に引っ張り発条１９′を介装してガス弁３′を発条１９′で弁シート１４′に圧接する閉止方向に付勢した構造となっている。
【０００３】
【発明が解決しようとする課題】
しかしながら、こうした取付け構造では、引っ張り発条１９′がガス通路外に装備されるので、発条の設計には制約が少なくなるメリットはあるが、スピンドル１′とガス弁３′の固定及びスピンドル１′とバネ受け１８′との固定には座金、Ｅリング等の多くの部品が必要であり、その組み付けにも多くの手間がかかり、また、スピンドル１′がガス弁３′を貫通しているため、その部分をシールするための特別のシール構造が必要となる。したがって、著しくコスト高となるばかりでなく、組み付け作業時の作業性も極めて悪いという問題点があった。
【０００４】
この発明の湯沸器のガス弁取付け構造は上記課題を解決し、部品点数を大幅に削減することによりコストダウンを図るとともに、一方向からの組み付けを可能として作業性をも向上した湯沸器のガス弁取付け構造の提供を目的としている。
【０００５】
【課題を解決するための手段】
上記課題を解決するこの発明の請求項１の湯沸器のガス弁取付け構造は、
ガス入口からメインバーナに至るガス通路中のノズル台のガス通路に、操作用スピンドルの先端に備えたガス弁を発条で閉止方向に付勢して常閉状に組み付け設置する湯沸器のガス弁取付け構造において、
上記操作用スピンドルの先端をガス弁に差し込むことによりガス弁がスピンドルの先端に取付けられており、上記操作用スピンドルは、上記ノズル台の上記ガス通路を兼備する弁室とノズル管へのガス通路との隔壁に備えられた軸受部に挿通支持され、上記ガス弁は上記操作用スピンドルとともに移動して、上記隔壁に形成された弁シートに接離するものであり、
該ノズル台にガス側本体が組み付けられるまでの間、上記ガス弁を閉止方向に付勢する上記発条を上記ノズル台に仮止め支持するバネ受けを備え、
上記バネ受けは、ガスの流通を阻害しない開口面積を有する開口と、上記ノズル台への組み付け時には手動で圧入支持できる程度の支持部を備え、上記ガス弁と同一軸線を保って取付け支持されるものであり、
上記ガス弁の組み付けが一方向から行えるものであることを要旨とする。
【０００７】
上記課題を解決するこの発明の請求項２の湯沸器のガス弁取付け構造は、
上記請求項１のバネ受けは、上記ノズル台と上記ガス側本体との接合部に挟着固定されていることを要旨とする。
【０００８】
上記構成を有するこの発明の請求項１の湯沸器のガス弁取付け構造は、スピンドルの先端を差し込んで取付けられたガス弁は、スピンドルを一方からボディに挿通支持するだけでその弁シートに接離可能に対設でき、また、ガス弁を閉止方向に付勢する発条は、一方をガス弁に、他方は少なくともガス側本体が組み付けられるまでの間仮止め支持できるようにガス弁の弁シート側のボディに取付けられるバネ受けにより支承されてガス弁を弁シートに圧接した状態に一方から装着できる。この結果、ガス弁の組み付けは一方向から簡易に行いうる。
【０００９】
そして、上記バネ受けは弁シート側のボディにその支持部を発条の一定のバネ圧に抗して手動で圧入するだけでガス弁と同一軸線を保って取付け支持され、また、バネ受けにはガスの流通を阻害しない開口面積を有する開口が備えられている。この結果、発条の組み付け支持は一方向から容易、確実に行え、また、ガスの流通にも何ら支障を生じない。
【００１０】
上記構成を有するこの発明の請求項２の湯沸器のガス弁取付け構造は、上記バネ受けはガス側本体の組み付けが完了すると、ガス通路を兼ねる弁室とガス側本体のガス通路との接合部に挟着固定される。この結果、組み付け完了後、バネ受けが変動することはない。
【００１１】
【発明の実施の形態】
以上説明したこの発明の構成、作用を一層明らかにするために、以下にこの発明の湯沸器のガス弁取付け構造の好適な実施の形態の一例について図面を参照して詳細に説明する。
【００１２】
図面はこの発明のガス弁取付け構造を元止式ガス瞬間湯沸器の操作ボタンと連動して開閉する器具栓に適用した場合を例示したものであって、図１〜図６において、１は操作用スピンドルで、操作ボタン２のプッシュ操作に連動して進退移動することにより操作用スピンドル１の先端に備えた器具栓（ガス弁）３を開閉するようになっており、この器具栓３はガス入口４からメインバーナ５に至るガス通路中のノズル台Ａのガス通路６に装備されている。ガス入口４からメインバーナ５に至るガス通路中のガス側本体Ｂには図示しないがその上流側から、たとえば、マグネット安全弁、ガスガバナ、水圧自動弁の順に装備され、上記水圧自動弁から上記ノズル台Ａのガス通路６に装備された器具栓３を経て能力切替弁７でガス量を無段階に制御しその能力範囲のガス量がノズル管８を介して複数のメインノズル９から複数並列された各々のメインバーナ５へ均等に供給されるようになっている。
【００１３】
上記器具栓３は操作用スピンドル１の先端に備えられ、器具栓３の中心に穿った取付孔３ａに操作用スピンドル１の先端細軸部１ａをガタのないよう差し込んで器具栓３を操作用スピンドル１の先端に取付けている。そして、操作用スピンドル１はガス通路を兼備する弁室１０とノズル管８へのガス通路６ａとの隔壁１１に備えた軸受部１２とこの軸受部１２と対向する位置の通路壁に備えられた軸受部１３とに摺動が自由に行えるよう挿通支持され、上記器具栓３はこの操作用スピンドル１とともに移動してその弁シート１４に接離するようになっている。なお、上記隔壁１１には軸受部１２の囲りにガス通孔１５を穿って弁室１０とガス通路６ａを連通させ、また、隔壁１１の軸受部１２に対向する軸受部１３にはシール材１６を介在してガス漏れがないようにしている。１７はガス通路６ａの下端開口を塞いだ盲蓋である。
【００１４】
１８はバネ受けで、上記器具栓３を閉止方向に常時付勢する圧縮発条１９を少なくともガス側本体Ｂを組み付けるまでの間仮止め支持するためのものであって、ガスの流通が阻害されない充分な開口面積を有する開口２０を有し、基端部に弁室１０の入口に設けられた環状の嵌合凹部２１にバネ圧に抗して手動で圧入固定できる環状の嵌合凸部２２を備えており（図５及び図６参照）、たとえば、樹脂で一体成形するのが望ましい。
【００１５】
上記バネ受け１８は器具栓３との間に圧縮発条１９を介在して（図５参照）弁室１０側の嵌合凹部２１に基端の嵌合凸部２２をバネ圧に抗して手動で圧入して固定するだけで圧縮発条１９を仮止め支持する。そこで、ガス側本体Ｂをノズル台Ａに組み付けると、バネ受け１８はノズル台Ａの弁室１０とガス側本体Ｂのガス通路２３との間に挟着保持される（図４参照）。
【００１６】
上記構成において、器具栓３の組み付け手順の一例を以下に説明すると、先ず、操作用スピンドル１の先端細軸部１ａを器具栓３の中心取付孔３ａに差し込んで器具栓３を操作用スピンドル１の先端に取付け、次いで、器具栓３を先端に備えた操作用スピンドル１を隔壁１１の軸受部１２とこの軸受部１２に対向する軸受部１３とに図示右方から挿通支持して器具栓３を弁室１０内に装備しその弁シート１４に接離可能に対設する。その後、バネ受け１８を器具栓３との間に圧縮発条１９を介在してその嵌合凸部２２を弁室１０の入口の嵌合凹部２１にバネ圧に抗して圧入固定すれば圧縮発条１９はバネ受け１８により仮止め支持される。しかる後、ノズル台Ａにガス側本体Ｂを組み付けると、バネ受け１８はノズル台Ａの弁室１０とガス側本体Ｂのガス通路２３との間に挟着固定され、器具栓３の組み付けは完了する。
【００１７】
なお、図中２５は能力切替レバーにより回転されるダイヤルギヤー、２６はノズル管のパッキング付きビス、２７は盲蓋、２８はパイロットノズルである。また、図１において、２９は給水接続口、３０はフレキシブル出湯管、３１は熱交換器、３２は電装基板、３３は乾電池ケースである。
【００１８】
以上この発明の実施の形態の一例について説明したが、この発明はこうした実施の形態に何等限定されるものではなく、この発明の要旨を逸脱しない範囲において種々なる形態で実施しうることは勿論である。
たとえば、上記実施の形態ではこの発明のガス弁取付け構造を元止式ガス瞬間湯沸器の操作ボタンと連動して開閉する器具栓に適用した例について述べているが、ダイヤフラム式給水栓と連動して開閉する水圧自動弁にも適用できる。
【００１９】
【発明の効果】
この発明の湯沸器のガス弁取付け構造は以上説明したような形態で実施され、以下に記載されるような効果を奏する。
【００２０】
この発明の請求項１の湯沸器のガス弁取付け構造によれば、ガス弁をその弁シートに押しつける方向にバネ圧をかけ、スピンドルには直接バネ圧をかけないので、スピンドルとガス弁を固定する部材は全く必要がない。したがって、部品点数が大幅に削減できるために著しくコストダウンできる。
また、発条は一方をガス弁に、他方は開口面積を充分にとり、しかも、ガス側本体が取付けられるまでの間は仮止め支持するバネ受けで支承するものであるから、これらの組み付け作業は一方向から容易に行いうる。したがって、その作業性は著しく向上する。
【００２１】
そして、上記バネ受けは弁シート側のボディに手動で圧入するだけでガス弁と同一軸線を保って固定できるから、その組み付け作業は容易、確実に行え、またバネ受けにはガスの流通を阻害しない開口面積を有する開口が備えられ、ガスの流通を阻害することはない。
【００２２】
この発明の請求項２の湯沸器のガス弁取付け構造によれば、上記バネ受けは組み付け完了後ガス側本体との間に挟着固定されるから、発条のバネ圧に変動が生ずることはない。
【図面の簡単な説明】
【図１】この発明のガス弁取付け構造を適用した湯沸器の一例を示したフロントカバーを取り外した状態の全体正面図である。
【図２】ノズル台だけの一部切欠正面図である。
【図３】図２のＸ−Ｘ線における断面図である。
【図４】要部の拡大断面図である。
【図５】要部の分離状態を示した断面図である。
【図６】バネ受けだけの正面図である。
【図７】従来例の一部切断正面図である。
【符号の説明】
Ａ…ノズル台
１…操作用スピンドル
３…ガス弁
１０…弁室
１４…弁シート
１９…発条
Ｂ…ガス側本体
１８…バネ受け
２０…開口
２１…嵌合凹部
２２…嵌合凸部
【図１】
0003990817.tif 000002
【図２】
0003990817.tif 000003
【図３】
0003990817.tif 000004
【図４】
0003990817.tif 000005
【図５】
0003990817.tif 000006
【図６】
0003990817.tif 000007
【図７】
0003990817.tif 000008